【事件の表示】
　特許第３０８５４７９号「波形観測装置」の請求項１に係る特許に対する特許異議の申立てについて、次のとおり決定する。
【結　論】
　訂正を認める。
　特許第３０８５４７９号の請求項１に係る特許を取り消す。
【理　由】
１．手続の経緯
　本件特許第３０８５４７９号は、平成３年９月３０日に特許出願されたものであって、平成１２年７月７日に特許権の設定登録がなされ、その後、テクトロニクス・インコーポレイテッドより特許異議の申立てがなされた。そして、平成１３年６月５日に取消理由が通知され、その指定期間内である平成１３年７月２７日に訂正請求がなされたものである。
　
２．訂正の適否についての判断
（１）訂正の内容
ア．訂正事項ａ
　特許請求の範囲の請求項１の記載について、「該波形メモリからそれぞれ異なる測定波形信号のディジタルデータを読み出して少なくとも２波形を分割表示する波形表示部」とあるのを、「該波形メモリからそれぞれ測定条件が異なる測定波形信号のディジタルデータを読み出して少なくとも２波形を分割表示する波形表示部」と訂正する。
イ．訂正事項ｂ
　明細書の段落【０００６】の記載について、「該波形メモリからそれぞれ異なる測定波形信号のディジタルデータを読み出して」とあるのを、「該波形メモリからそれぞれ測定条件が異なる測定波形信号のディジタルデータを読み出して」と訂正する。
ウ．訂正事項ｃ
　明細書の段落【０００７】の記載について、「少なくとも２波形分が波形表示部に読み出されて分割表示される。」とあるのを、「それぞれ測定条件が異なる少なくとも２波形分が波形表示部に読み出されて分割表示される。」と訂正する。
エ．訂正事項ｄ
　明細書の段落【０００８】の記載について、「波形メモリ２からそれぞれ異なる測定波形信号のディジタルデータを読み出して」とあるのを、「波形メモリ２からそれぞれ測定条件が異なる測定波形信号のディジタルデータを読み出して」と訂正する。
　
（２）訂正の目的の適否、新規事項の有無及び拡張・変更の存否
　上記訂正事項ａは、請求項１に係る発明を特定する事項である「それぞれ異なる測定波形信号のディジタルデータ」を「それぞれ測定条件が異なる測定波形信号のディジタルデータ」と限定するものであるから、特許請求の範囲の減縮を目的とするものである。また、上記訂正事項ｂ、ｃ、ｄは、上記訂正事項ａと整合を図るものであるから、明りょうでない記載の釈明を目的とするものである。
　そして、上記訂正事項ａの、「それぞれ測定条件が異なる測定波形信号のディジタルデータ」を波形メモリに記憶し、該波形メモリから読み出して分割表示することは、願書に添付した明細書の段落【０００９】及び【００１０】に「【０００９】図２に波形メモリ３に記憶される複数の波形例を示す。これらは、同一の測定対象から出力される信号に関するものであり、波形観測装置の電圧レンジ、時間軸、フィルタのオン／オフ等の測定条件の設定変更や、測定波形信号自身の条件変化等に対応している。【００１０】図３はモニタの表示例である。表示回路４は波形メモリ３に記憶されている複数の波形のディジタルデータを例えば測定条件に基づく組み合わせで読み出し、読み出した複数の波形を例えば図３のようにモニタ５の画面を９分割した１コマに圧縮して例えば測定条件の変更順に従った配列で表示する。これにより、例えば測定条件の変化に対する波形の変化が一目瞭然になる。」と記載されているから、上記各訂正事項は新規事項の追加に該当するものではない。
　さらに、上記訂正事項ａは、実質的に特許請求の範囲を拡張又は変更するものでもない。
　
（３）むすび
　したがって、上記訂正は、特許法第１２０条の４第２項並びに同条第３項で準用する同法第１２６条第２項及び第３項の規定に適合しているので、当該訂正を認める。
　
３．特許異議の申立てについての判断
（１）上記２．に記載したように訂正が認められるから、本件の請求項１に係る発明（以下、「本件発明」という。）は、訂正明細書の特許請求の範囲請求項１に記載されたとおりの次のものである。
「測定波形信号をディジタル信号に変換するＡ／Ｄ変換器と、
　該Ａ／Ｄ変換器から出力されるそれぞれ異なる測定波形信号のディジタルデータを少なくとも２波形分記憶する容量を有する波形メモリと、
　該波形メモリからそれぞれ測定条件が異なる測定波形信号のディジタルデータを読み出して少なくとも２波形を分割表示する波形表示部、
を備えたことを特徴とする波形観測装置。」
　
（２）引用刊行物に記載された発明
　当審で通知した取消理由で引用した刊行物２（特開昭５５−５４４７３号公報、以下「引用例」という。）には、図面と共に、次の記載がある。
ア．「本発明は多重波形記憶装置、特に複数の波形をデジタル信号に変換して記憶素子に蓄積し、所望時に読出して陰極線管等に表示し得る装置に関する。」（第１頁右下欄第４〜７行）
イ．「斯る表示装置の応用例の１つとして、波形即ち経時的現象の経過の研究がある。例えば、一連の波形を蓄積表示して、回路調整の効果を見たり、会話や生体信号の変化を見たり、或は一連の現象の比較を行ったりすることができる。」（第１頁右下欄第１２〜１７行）
ウ．「図中、表示装置（１０）は従来の陰極線管オシロスコープであるのが好ましいが、アナログ入力信号のみならずデジタル入力信号も受け入れるよう変更している。このオシロスコープの従来素子として、垂直増幅器（１２）、時間軸発生器（１４）、水平増幅器（１６）及び表示スクリーン（１８）を有する陰極線管を含み、このスクリ−ン（１８）上には夫々垂直増幅器（１２）及び水平増幅器（１６）の出力信号が供給される垂直及び水平偏向手段の制御下で電子ビームのトレースが表示される。」（第２頁右上欄第１６行から左下欄第５行）
エ．「アナログ入力信号を入力端（３０）からこの装置に供給する。このアナログ信号は、従来のアナログ・デジタル変換器（以下ＡＤＣという）（３２）によりｎビットの並列デジタルデータに変換される。」（第２頁左下欄第６〜９行）
オ．「複数の波形の蓄積の為にメモリ（３６）を設けている。このメモリ（３６）は２ｐ個のセクタに分割し、各セクタは２ｍ個の番地（アドレス）を有し、各アドレスにはｎ個の蓄積セルがある。」（第２頁左下欄第１７〜２０行）
カ．「メモリ（３６）からの並列データ出力線を表示装置（１０）内のデジタル・アナログ変換器（以下ＤＡＣという）（７０）に接続する。」（第２頁右下欄第１９行から第３頁左上欄第１行）
キ．「ＨＣ（３８）とＭＣ（４０）は波形メモリ（３６）内の各セクタ及び蓄積位置をアドレスして蓄積された波形データを読出す。この蓄積された波形データは、ＤＡＣ（７０）によってアナログ信号に変換されて垂直波形となりスイッチ（７４）を介して垂直増幅器（１２）に供給される。同時に、ＭＣ（４０）からの計数信号はＤＡＣ（７２）により掃引鋸歯状波に変換され、スイッチ（７６）を介して水平増幅器（１６）に供給される。よって、複数の波形が迅速に表示される。これらの波形は、眼の残像時間以上の速度であればフリッカーを生じることなく同時に観測することができる。」（第３頁左下欄第１１行から右下欄第２行）
　これらの記載によれば、引用例には次の発明が記載されていると認められる。
「測定波形信号デジタル信号に変換するアナログ・デジタル変換器（３２）と、
　該アナログ・デジタル変換器（３２）から出力されるそれぞれ異なる測定波形信号のデジタルデータを少なくとも２波形分記憶する容量を有するメモリ（３６）と、
　該メモリ（３６）からそれぞれ異なる測定波形信号のデジタルデータを読み出して少なくとも２波形分表示する表示装置（１０）と、
　を備えた多重波形記憶装置。」
　
（３）対比及び判断
　　本件発明と引用例記載の発明とを対比すると、引用例記載の発明の「アナログ・デジタル変換器（３２）」「メモリ（３６）」「表示装置（１０）」はそれぞれ本件発明の「Ａ／Ｄ変換器」「波形メモリ」「波形表示部」に相当する。また、引用例記載の発明の「多重波形記憶装置」は、波形を記憶し表示するものであるから、本件発明の「波形観測装置」に対応することは明らかである。
　したがって、本件発明と引用例記載の発明とは、「測定波形信号をディジタル信号に変換するＡ／Ｄ変換器と、該Ａ／Ｄ変換器から出力されるそれぞれ異なる測定波形信号のディジタルデータを少なくとも２波形分記憶する容量を有する波形メモリと、該波形メモリからそれぞれ異なる測定波形信号のディジタルデータを読み出して少なくとも２波形を表示する波形表示部、を備えた波形観測装置。」である点で一致し、次の点で相違する。
　相違点１：本件発明が、波形メモリから「それぞれ測定条件が異なる測定波形信号のディジタルデータ」を読み出して表示するのに対し、引用例には、「それぞれ測定条件が異なる測定波形信号」とは記載されていない点。
　相違点２：本件発明が、波形表示部において、少なくとも２波形を分割表示するのに対し、引用例記載の発明は、１コマの画面に複数の波形を表示するもので、分割表示することは記載されていない点。
　
　しかし、相違点１について、引用例の上記記載事項イによれば、「斯る表示装置の応用例の１つとして、波形即ち経時的現象の経過の研究がある。例えば、一連の波形を蓄積表示して、回路調整の効果を見たり、会話や生体信号の変化を見たり、或いは一連の現象の比較を行ったりすることができる。」と記載されており、測定対象の測定条件を変化させて観測することが示唆されているから、波形表示部において、波形メモリからそれぞれ測定条件が異なる測定波形信号を読み出して表示するようにすることは当業者ならば容易に想到し得たものである。
　また、相違点２について、引用例記載の発明のように、１コマの画面に複数の波形を表示するか、本件発明のように、画面を複数のコマに分割して複数の波形を表示するかは、複数の波形を表示する際に当業者が適宜採用する事項であって、波形表示部に少なくとも２波形を分割表示することは当業者ならば容易に想到し得たものである。
　
（４）むすび
　以上のとおりであるから、本件発明は、上記引用例記載の発明に基づいて当業者が容易に発明をすることができたものであるから、本件特許は特許法第２９条第２項の規定に違反して特許されたものである。
　したがって、本件特許は、特許法第１１３条第２号に該当し、取り消されるべきものである。
　よって結論のとおり決定する。
【異議決定日】
平成１３年８月１６日（２００１．８．１６）
【訂正の要旨】
ア．訂正事項ａ
　特許請求の範囲の請求項１の記載について、「該波形メモリからそれぞれ異なる測定波形信号のディジタルデータを読み出して少なくとも２波形を分割表示する波形表示部」とあるのを、「該波形メモリからそれぞれ
測定条件が
イ．訂正事項ｂ
　明細書の段落【０００６】の記載について、「該波形メモリからそれぞれ異なる測定波形信号のディジタルデータを読み出して」とあるのを、「該波形メモリからそれぞれ
測定条件が
ウ．訂正事項ｃ
　明細書の段落【０００７】の記載について、「少なくとも２波形分が波形表示部に読み出されて分割表示される。」とあるのを、「
それぞれ測定条件が異なる
エ．訂正事項ｄ
　明細書の段落【０００８】の記載について、「波形メモリ２からそれぞれ異なる測定波形信号のディジタルデータを読み出して」とあるのを、「波形メモリ２からそれぞれ
測定条件が
（５４）【発明の名称】
波形観測装置
（５７）【特許請求の範囲】
　【請求項１】　測定波形信号をディジタル信号に変換するＡ／Ｄ変換器と、
　該Ａ／Ｄ変換器から出力されるそれぞれ異なる測定波形信号のディジタルデータを少なくとも２波形分記憶する容量を有する波形メモリと、
　該波形メモリからそれぞれ
測定条件が
を備えたことを特徴とする波形観測装置。
【発明の詳細な説明】
　【０００１】
　【産業上の利用分野】
　本発明は波形観測装置に関し、更に詳しくは、複数波形の表示機能の改善に関する。
　【０００２】
　【従来の技術】
　同一の測定対象から出力される信号に対して、波形観測装置側の設定条件を異ならせたり、測定対象側の設定条件を異ならせたり、これら波形観測装置側の設定条件と測定対象側の設定条件を各種組み合わせてそれぞれの設定条件の組み合わせにおける表示波形を記録しておき、これら複数の記録波形を同時に見比べて信号の変化の状態を観測したい場合がある。
　【０００３】
　そこで、従来は、１回の測定毎に波形観測装置の表示画面を写真に記録したり、表示画面をプリントアウトし、これら複数のハードコピーを並べて解析することが行われていた。
　【０００４】
　【発明が解決しようとする課題】
　しかしながら、従来のこのような方法によれば、表示画面がハードコピー化された時点で測定対象から出力される信号の表示情報は固定化されることになり、ハードコピー上の注目部分を拡大して詳細に観測しようとしてもハードコピーの分解能で制限されてしまうので自由度に欠ける。
　【０００５】
　また、波形観測の都度にハードコピーを取らなければならず、即応性が悪い。
　本発明は、このような問題点に鑑みてなされたものであり、その目的は、同一の測定対象から出力される信号に関する複数の波形を迅速に取り込んで同時に比較観測でき、必要に応じてそれらの任意の波形について詳細な観測が行える波形観測装置を実現することにある。
　【０００６】
　【課題を解決するための手段】
　このような課題を解決する本発明は、
　測定波形信号をディジタル信号に変換するＡ／Ｄ変換器と、
　該Ａ／Ｄ変換器から出力されるそれぞれ異なる測定波形信号のディジタルデータを少なくとも２波形分記憶する容量を有する波形メモリと、
　該波形メモリからそれぞれ
測定条件が
を備えたことを特徴とするものである。
　【０００７】
　【作用】
　波形メモリには同一の測定対象から出力される信号に関するそれぞれ異なる複数の波形のディジタルデータが記憶される。そして、これらそれぞれ異なる複数波形のディジタルデータの内、
それぞれ測定条件が異なる
　【０００８】
　【実施例】
　以下、図面を参照して、本発明の実施例を詳細に説明する。
　図１は本発明の一実施例を示す構成図である。図において、１は測定波形信号の入力端子で、ディジタル信号に変換するＡ／Ｄ変換器２に接続されている。３は波形メモリであり、Ａ／Ｄ変換器２から出力されるそれぞれ異なる測定波形信号のディジタルデータを少なくとも２波形分（本実施例ではｎ波形分）記憶する容量を有している。４は表示回路であり、波形メモリ２からそれぞれ
測定条件が
　【０００９】
　図２に波形メモリ３に記憶される複数の波形例を示す。これらは、同一の測定対象から出力される信号に関するものであり、波形観測装置の電圧レンジ，時間軸フィルタのオン／オフ等の測定条件の設定変更や、測定波形信号自身の条件変化等に対応している。
　【００１０】
　図３はモニタの表示例である。表示回路４は波形メモリ３に記憶されている複数の波形のディジタルデータを例えば測定条件に基づく組み合わせで読み出し、読み出した複数の波形を例えば図３のようにモニタ５の画面を９分割した１コマに圧縮して例えば測定条件の変更順に従った配列で表示する。これにより、例えば測定条件の変化に対する波形の変化が一目瞭然になる。
　【００１１】
　図４は図３の一部の波形の拡大表示例であり、波形２を拡大表示した例を示している。すなわち、圧縮表示波形では注目部分が不明瞭になるが、必要に応じて波形メモリ３に記憶されているディジタルデータに基づいて該当波形を図４のように表示画面全体に拡大表示することにより細部が観測できる。
　【００１２】
　なお、モニタ５における分割表示は図３に限るものではなく、各種の形態が考えられる。図５は分割表示の他の例であり、カードをずらして並べるように複数の波形をずらして表示している。これらの分割表示は表示回路４をマイクロプロセッサで構成することにより実現できる。そして、図５のようなカード形式で表示するのにあたっては、重ねたカードを１枚ずつめくって動画のように表示させることも可能である。
　【００１３】
　また、波形観測装置の測定条件を一定にしておいて同一信号の時間経過に伴う波形データを記憶させ、これら複数波形を透視的に重ね合わせて表示させることにより波形の時間経過に伴う変化を３次元的に表示させることもできる。
　【００１４】
　なお、本発明では相当量のメモリが必要になるが、半導体メモリは近年安価になっており、比較的ローコストで実現できる。
　【００１５】
　【発明の効果】
　以上詳細に説明したように、本発明によれば、以下のような効果が得られる。
　モニタの同一画面上に、同一信号に対する測定条件の設定変更や同一測定条件による同一信号の時間経過に伴う変化などのそれぞれ異なる条件下での同一信号の複数の観測波形を表示でき、測定対象回路等の特性把握，トラブルシュート等に迅速に対応できる。
【図面の簡単な説明】
　【図１】
　本発明の一実施例の構成図である。
　【図２】
　図１の波形メモリに記憶される複数の波形例である。
　【図３】
　図１のモニタの表示例である。
　【図４】
　図３の一部の波形の拡大表示例である。
　【図５】
　分割表示の他の例である。
　【符号の説明】
１　入力端子
２　Ａ／Ｄ変換器
３　波形メモリ
４　表示回路
５　モニタ